(57)【要約】【課題】従来の、取り外し防止締結装置は一般的な規格の挟み工具で装置の側面を掴むことによって取り外すことができた。【解決手段】締結時と取り外し時に工具が嵌合する本体１と、本体１を部分的に覆うキャップ体２から構成され、本体１は上部３と下部４から成り、下部４は相対する一組の側面４ａ、４ｂを含む工具嵌合部であり、その下部４と上部３の間にリング状の溝５が形成され、キャップ体２は本体１の上部３を覆う容量の内部空間を有するように円盤状の上面６と上面６から垂れる周壁７から成り、周壁７の下端には内側へ折れ曲がった掛止めツメ８を複数有する取り外し防止締結装置である。【選択図】  図１
2004293775.tif 000002
【特許請求の範囲】
【請求項１】
締結時と取り外し時に工具が嵌合する本体１と、本体１の上部のみを覆うキャップ体２から構成され、本体１は上部３と上部３よりも高さの低い下部４を含む一体物であり、下部４は相対する一組の嵌合部側面４ａ、４ｂを含む工具嵌合部であり、その下部４と上部３の間にリング状の溝５が形成され、キャップ体２は本体１の上部３を覆う容量の内部空間を有するように円盤状の上面６と上面６から垂れる周壁７から成り、周壁７の下端には内側へ折れ曲がった掛止めツメ８を複数個有することを特長とする取り外し防止締結装置である。
【請求項２】
締結時と取り外し時に工具が嵌合する本体１と、本体１の上部のみを覆うキャップ体から構成され、本体１は上部３と上部３よりも高さの低い下部４を含む一体物であり、下部４は相対する一組の嵌合部側面４ａ、４ｂを含む工具嵌合部であり、その下部４と上部３の間にリング状の溝５が形成され、キャップ体２は本体１の上部３を覆う容量の内部空間を有するように円盤状の上面６と上面６から垂れる周壁７から成り、周壁７の下端には内側へ折れ曲がった掛止めツメ８を複数個有し、掛止めツメ８の先端間の直径方向の距離は上部３の最大径よりも小さくし、キャップ体２の周壁７の外周直径は本体１の下部４の嵌合部側面４ａ、４ｂ間の距離よりも大きいことを特長とする取り外し防止締結装置である。
【請求項３】
本体１の軸心部に貫通したメネジを９を有し、キャップ体２にはその上面６に貫通穴１０を設けたことを特徴とする請求項１、２に記載の取り外し防止装置である。
【請求項４】
本体１の下部４の軸心からオネジを有する軸体が延長したことを特徴とする請求項１、２に記載の取り外し防止装置である。
【請求項５】
本体１の上部３は上面に円盤部を残した軸断面台形の上細りの円錐状であり、下部４が外形多角形であることを特徴とする請求項１から４に記載の取り外し防止装置である。
【請求項６】
キャップ体２の周壁７には、掛止めツメ８の両側から上面６へ向けて適宜長さの割れ溝を設けたことを特徴とする請求項１から５に記載の取り外し防止装置である。
【発明の詳細な説明】
【０００１】
【発明の属する技術分野】
この発明は、締結後にボルトまたはナットを通常の工具ではゆるめることが困難な取り外し防止締結装置に関するものである。
【０００２】
【従来の技術】
従来の取り外し防止締結装置には（１）ボルトまたはナットの締結工具との嵌合形状を締結方向のみに当たる面を設けて、外し方向へは傾斜面を設けることによって取り外しを防止したもの（特許文献１参照）。（２）頭部を、その外周が台形の円錐形状にして、ペンチなどの挟み工具では掴みにくくし、その一部に専用の締結工具が嵌合する窪み部を設けることで取り外しを防止したもの（特許文献２、３参照）。（３）頭部を、その外形が三角形などにして、通常の工具では掴みにくくして取り外しを防止したもの（特許文献４参照）。（４）ボルトの頭部をキャップまたはカバーで覆い、キャップを外すことのできない機構を加えることで取り外しを防止したもの（特許文献５、６、７参照）などがある。
【０００３】
【特許文献１】
特開平１１−３５１２２８号公報
【特許文献２】
特開平８−１５９１２９号公報
【特許文献３】
特開２０００−４６０２７号公報
【特許文献４】
実用新案登録第３０６６７７３号
【特許文献５】
実用新案登録第３０６３４１６号公報
【特許文献６】
特開平１１−３２５０４０号公報
【特許文献７】
登録実用新案第３０６１１８７号公報
【０００４】
【発明が解決しようとする課題】
従来技術（１）にあげたボルト、ナットにおいては十字ドライバーや六角レンチなどの通常の工具では取り外すことが困難であるが、頭部またはナットの側面をすべり止め加工のされた掴み面を有する一般的な規格のペンチ、プライヤーなどの挟み工具で掴むことによって取り外すことができる。
【０００５】
従来技術（２）にあげた外周が台形の円錐形状のボルト、ナットも同様の問題を有する。
【０００６】
従来技術（３）にあげた外形が三角形などのボルト、ナットは相対する側面が存在しないために、六角レンチ類では取り外すことができない他、ペンチのように左右２面から挟む工具でも取り外しにくい。しかしながら、やはり、ペンチなどの工具の掴み面に凹凸などのすべり止め加工のされた一般的な規格の挟み工具で掴むことによって取り外すことができる。
【０００７】
従来技術（４）にあげたキャップまたはカバーで覆ったボルト、ナットは取り外すことが極めて困難である。そのために、締結後に必要性が生じてボルト、ナットを取り外す場合、そのキャップまたはカバーを取り外す作業もまた困難となるという問題がある。そのキャップをいたずらでは外すことができないようにするための機構自体が、ボルト、ナットに比べて極めて高価になる場合が多いか、そのような取り外しのための機構を考慮しない締結装置では破壊以外の方法では取り外すことがまったくできないというメンテナンス上の問題を有する。その他の手段として、頭部やナットを溶接して取り外しを防止する手段も行われるが、完璧性を追求すると、取付け後に必要が生じた場合の取り外しは困難となる。
【０００８】
以上のような従来技術の有する問題点から、決して完璧ではないものの、市販の一般的な規格のレンチやペンチ、プライヤーなどで挟むだけでは容易に取り外すことができないが、必要が生じた場合には取り外しが比較的容易で経済的な取り外し防止締結装置を提供することが本発明の課題である。
【課題を解決するための手段】
上記のような課題を解決するため、請求項１の発明は締結時と取り外し時に工具が嵌合する本体１と、本体１の上部のみを覆うキャップ体２から構成され、本体１は上部３と上部３よりも高さの低い下部４を含む一体物であり、下部４は相対する一組の側面４ａ、４ｂを含む工具嵌合部であり、その下部４と上部３の間にリング状の溝５が形成され、キャップ体２は本体１の上部３を覆う容量の内部空間を有するように円盤状の上面６と上面６から垂れる周壁７から成り、周壁７の下端には内側へ折れ曲がった掛止めツメ８を複数個、有することを特長とする取り外し防止締結装置である。
【０００９】
請求項２の発明は締結時と取り外し時に工具が嵌合する本体１と、本体１の上部のみを覆うキャップ体２から構成され、本体１は上部３と上部３よりも高さの低い下部４を含む一体物であり、下部４は相対する一組の嵌合部側面４ａ、４ｂを含む工具嵌合部であり、その下部４と上部３の間にリング状の溝５が形成され、キャップ体２は本体１の上部３を覆う容量の内部空間を有するように円盤状の上面６と上面６から垂れる周壁７から成り、周壁７の下端には内側へ折れ曲がった掛止めツメ８を複数個有し、掛止めツメ８の先端間の直径方向の距離は上部３の最大径よりも小さくし、キャップ体２の周壁７の外周直径は本体１の下部４の嵌合部側面４ａ、４ｂ間の距離よりも大きいことを特長とする取り外し防止締結装置である。
【００１０】
請求項３の発明は本体１の軸心部に貫通したメネジを９を有し、キャップ体２にはその上面６に貫通穴１０を設けたことを特徴とする請求項１、２に記載の取り外し防止装置である。
【００１１】
請求項４の発明は本体１の下部４の軸心からオネジを有する軸体が延長したことを特徴とする請求項１、２に記載の取り外し防止装置である。
【００１２】
請求項５の発明は本体１の上部３は上面に円盤部を残した軸断面台形の上細りの円錐状であり、本体１の下部４が外形多角形であることを特徴とする請求項１から４に記載の取り外し防止装置である。
【００１３】
請求項６の発明はキャップ体２の周壁７には、掛止めツメ８の両側から上面６へ向けて適宜長さの割れ溝を設けたことを特徴とする請求項１から５に記載の取り外し防止装置である。
【００１４】
【発明の実施の形態】
以下、この発明の実施の形態を図示例と共に説明する。
【００１５】
図１に示す実施形態の取り外し防止締結装置は、締結時と取り外し時に工具が嵌合する本体１と、本体１の上部のみを覆うキャップ体２から構成され、本体１は上部３と上部３よりも高さの低い下部４を含む一体物であり、下部４は相対する一組の側面４ａ、４ｂを含む工具嵌合部であり、その下部４と上部３の間にリング状の溝５が形成され、キャップ体２は本体１の上部３を覆う容量の内部空間を有するように円盤状の上面６と上面６から垂れる周壁７から成り、周壁７の下端には内側へ折れ曲がった掛止めツメ８を複数有することを特長としている。
【００１６】
図１に示した実施形態は、ナットを例示しており、本体１の軸心部には貫通したメネジ９を有し、キャップ体２にはその上面６に貫通穴１０を設けている。
【００１７】
ボルトの頭部に本発明の取り外し防止締結装置を適用する場合は、ボルトの頭部をメネジ９を有しない本体１の構成として、キャップ体２は貫通穴１０を有しない構成とすることができる。
【００１８】
図１に示す取り外し防止締結装置を用いてボルトにナットを締結する場合は、図２に示すように、まずボルト１１の先端に本体１を手で螺合させて、六角レンチ、スパナなどの一般的な締結工具を、本体１の下部４の工具嵌合部４ａ、４ｂに勘合させて強く締結し、最後にキャップ体２を上部から押し込んで複数の掛止めツメ８をリング状の溝５に掛け止める。
【００１９】
掛止めツメ８は実施例では図示の左右に２箇所設けた例を示しており、キャップ体２の周壁７には、掛止めツメ８の両側から上面６へ向けて適宜長さの割れ溝を設けて、キャップ体２を本体１の上部３に押し込む際に、掛止めツメ８を広がりやすくしている。掛止めツメ８は上部３に押し込む際に広がり、リング状の溝５に至ると、その復元弾性でほぼ元の位置に戻る。
【００２０】
掛止めツメ８がリング状の溝５に入った後では、キャップ体２が本体１から容易に外れてはならないので、掛止めツメ８の先端間の直径方向の距離は上部３の最大径よりも小さいことが要求され、また、一般的な規格の工具を下部４の相対する一組の嵌合部側面４ａ、４ｂに嵌合させようとしても、先にキャップ体２の周壁７が工具の嵌合部に接するようにするため、キャップ体２の周壁７の外周直径は本体１の下部４の嵌合部側面４ａ、４ｂの距離よりも大きいことが要求される。
【００２１】
このようにして締結されたボルト、ナットを通常の工具を用いて取り外そうとすると、キャップ体２が空転するために本体に回転力が伝達できない。すなわち、取り外すことができないのである。一般的な六角レンチは、工具の嵌合部の厚みが本体１の下部４に生じるスキ間ｔに比べると厚く、外周直径の大きなキャップ体２がじゃまになって本体１の下部嵌合側面４ａ、４ｂに勘合させることができない。ペンチ類はさらに厚みがあるために挟むことができない。いたずらで、このボルト、ナットを取り外そうとして、キャップ体に触れた時に、空転することに気づくと取り外しを断念するという心理的な効果も予測される。
【００２２】
締結後に必要が生じて、このボルト、ナットを取り外す場合は、本体下部４に生じるスキ間ｔよりも薄い部分を有する六角レンチを用いることで取り外すことができる。そのような薄い部分を有する六角レンチは市販されていないが、工場設備を用いれば製作は比較的容易である。
【００２３】
【発明の効果】
上述の説明の取り外し防止締結装置によれば、締結作業は一般の締結工具を用いておこなうことができ、締結後は一般的な規格の工具では取り外すことが困難になるという効果を有する。手で触れることのできるキャップ体は、締結後も空転するために、心理的ないたずら防止効果をも有する。この種の装置に「完璧性」を求めると、前述の溶接固着にまで至り、将来の取り外し時の手間や、締結時の作業コストが大きくなる。本発明の取り外し防止締結装置によれば、メンテナンスの要求される取付け物に対しても、一時的な取り外し作業が可能であり、一方ではいたずら防止効果が期待でき、しかも、外観が従来のボルト、ナットよりもわずかに大きくなる程度であり、凹凸もなく美観も優れている。
【図面の簡単な説明】
【図１】本発明による取り外し防止締結装置を示す斜視図
【図２】上記装置をボルトに締結した状態の縦断正面図
【符号の説明】
１．本体
２．キャップ体
３．上部
４．下部
４ａ−ｂ．嵌合部側面
５．溝
６．上面
７．周壁
８．掛止めツメ
【図１】
2004293775.tif 000003
【図２】
2004293775.tif 000004